(57)【特許請求の範囲】
【請求項１】
可動式肘掛部を有し、少なくとも前記肘掛部の底面に発熱体を備えることを特徴とする暖房装置付き座席。
【請求項２】
前記肘掛部の位置を検出する機能を有し、前記肘掛部の位置により前記発熱体への通電を切り替える機能を有することを特徴とする請求項１に記載の暖房装置付き座席。
【請求項３】
前記肘掛部の少なくとも天面に発熱体を備えることを特徴とする請求項１または２に記載の暖房装置付き座席。
【請求項４】
前記肘掛部の位置により前記底面または天面の発熱体いずれか一方に通電を行う機能を有することを特徴とする請求項３に記載の暖房装置付き座席。
【請求項５】
自動車用後部座席に用いたことを特徴とする請求項１〜４のいずれか１項に記載の暖房装置付き座席。
【発明の詳細な説明】
【技術分野】
【０００１】
本発明は航空機、自動車、電車などに用いられる暖房装置付き座席に関するものである。
【背景技術】
【０００２】
従来の暖房装置付き座席は、図１３に示すように、座席１０１の座部１０２と背もたれ部１０３にそれぞれ発熱体１０４ａが配設されており、寒い季節にでも使用者に快適に着座することができるような構成となっている。また、ある種の暖房装置付き座席は、座席１０１の肘掛部１０５の使用者と対向する面（内側面１０６）にも発熱体１０４ｂを配設し、体側面も暖めるような構成として快適性の向上を実現しようとしたものもあった（例えば、特許文献１参照）。
【先行技術文献】
【特許文献】
【０００３】
【特許文献１】特開昭５５−１６０５２２号公報
【発明の概要】
【発明が解決しようとする課題】
【０００４】
しかしながら、前記従来の構成では、肘掛部の発熱体の配設されている部位が座席の座部、背もたれ部、及び内側面であるため、使用者が腕を置く位置によっては腕が暖かくならず、身体は暖かくても寒く感じてしまうという課題を有している。また、使用者が手を置く位置によっては冷え易い手のひらや指先部分が十分に暖まらないという課題も有している。
【０００５】
また、前記従来の構成で肘掛部が可動式になった場合、肘掛部が下げられている際には肘掛部の天面に配設されている発熱体によって使用者は暖房を得ることができるが、肘掛部が上げられている際には肘掛部の底面に発熱体を備えていないため、使用者の腕、肩口や背部に暖房されない冷たい面が当たり、不快感を与えてしまうという課題があった。
【０００６】
本発明は、前記従来の課題を解決するもので、使用者が暖房装置付き座席を使用する際に使用者の腕、手のひら、及び指先を容易に暖めることができる構成を実現した暖房装置付き座席を提供することを目的とする。
【０００７】
本発明は、前記従来の課題を解決するもので、使用者が可動式の肘掛部を有する暖房装置付き座席を使用する際に、肘掛部が上げられた状態であっても使用者の腕、肩口や背部を暖めることができる構成を実現した暖房装置付き座席を提供することを目的とする。
【０００８】
さらに、信頼性を向上させた暖房装置付き座席を提供することを目的とする。
【課題を解決するための手段】
【０００９】
前記従来の課題を解決するために、本発明の暖房装置付き座席は、肘掛部の天面、体側面に対向する面、前端垂直面、あるいはもう一方の側面の前端から少なくとも１／３の範囲に発熱体を備える構成としたものである。これによって、使用者が腕、及び手を置く位置に関わらず、またどのような座り方をした場合においても、腕、手のひら、及び指先が暖房装置付き座席の発熱体を配設した部位に触れることにより容易に採暖が可能となる。
【００１０】
前記従来の課題を解決するために、本発明の暖房装置付き座席は、可動式の肘掛部の底面に発熱体を備える構成としたものである。
【００１１】
これによって、肘掛部が上げられても、発熱体を備えた底面が使用者に接するため、使用者の腕、肩口や背中を暖めることができる。
【００１２】
また、本発明の暖房装置付き座席は、肘掛部の位置によって発熱体への通電を切り替える機能を備える構成としたものである。
【００１３】
これによって肘掛部が下げられた際には通電を停止し、無駄な電力を節約することができる。また天面に発熱体を備えた場合には、肘掛部の位置によって底面、天面の発熱体への通電を切り替えることによって、使用者の使用実態に合わせて適切な暖房を行うことができる。
【発明の効果】
【００１４】
本発明の暖房装置付き座席は、使用者が腕、及び手を置く位置に関わらず、どのような座り方をした場合においても、腕、手のひら、及び指先が暖房装置付き座席の発熱体を配設した部位に触れることにより容易にすることができる。
【００１５】
本発明の暖房装置付き座席は、肘掛部が上げられた際にも発熱体を配設した部位に使用者の腕、肩口および背部が容易に接触し、暖房を得ることができる。
【００１６】
また本発明の暖房装置付き座席は、肘掛部の位置によって、通電する面を切り替えることができるため、使用者の使用実態に合わせて適切な暖房を行うことが可能となり、省エネ効果を上げることができる。
【図面の簡単な説明】
【００１７】
【図１】本発明の実施の形態１における暖房装置付き座席の斜視図
【図２】本発明の実施の形態１における暖房装置付き座席の側面図
【図３】同、電気的結線を示したブロック図
【図４】本発明の実施の形態２における暖房装置付き座席の斜視図
【図５】本発明の実施の形態３における暖房装置付き座席の肘掛部の拡大図
【図６】本発明の実施の形態４における発熱体の展開図
【図７】本発明の実施の形態５における暖房装置付き座席の斜視図
【図８】本発明の実施の形態５における暖房装置付き座席の斜視図
【図９】本発明の実施の形態５における電気的結線を示した回路図
【図１０】本発明の実施の形態６における暖房装置付き座席の斜視図
【図１１】本発明の実施の形態６における暖房装置付き座席の斜視図
【図１２】本発明の実施の形態６における電気的結線を示した回路図
【図１３】従来の暖房装置付き座席の斜視図
【発明を実施するための形態】
【００１８】
第１の発明は、肘掛部を有し、前記肘掛部の天面に発熱体を備えることを特徴とすることにより、肘部分が発熱体を配設した部位に容易に触れることにより確実に採暖が可能になるものである。
【００１９】
第２の発明は、肘掛部天面の発熱体を背もたれ側から１／２の範囲に備えることにより、少なくとも使用者の肘部分が発熱体に触れるようにし、第１の発明の効果を増大させるものである。
【００２０】
第３の発明は、肘掛部の使用者の体側面に対向する面に発熱体を備えることにより、第１、第２の発明の効果をさらに増大させるものである。
【００２１】
第４の発明は、肘掛部の前端垂直面に発熱体を備えることにより、手のひらや指先部分が発熱体を配設した部位に容易に触れることにより確実に採暖が可能となり、第３の発明の効果をさらに増大させるものである。
【００２２】
第５の発明は、肘掛部のもう一方の側面の前端から少なくとも１／3の範囲に発熱体を備えることにより、第４の発明の効果をさらに増大させるものである。
【００２３】
第６の発明は、各発熱体の連結部に補強部材を備えることにより、使用者が暖房装置付き座席の肘掛部に腕、及び手を置くことにより発熱体に引っ張り荷重や、曲げ荷重が生じた場合に、発熱体に作用する曲げ荷重や、引っ張り荷重を緩和することができ、耐久性を向上することができるようになり、第１〜５のいずれかの発明の効果をさらに増大させるものである。
【００２４】
第７の発明は、発熱体を発熱する電線で構成することにより、発熱体の構成、及び配置が容易になり、使用者が暖房装置付き座席の肘掛部に腕、及び手を置くことにより発熱体に引っ張り荷重や、曲げ荷重が生じた場合に、発熱体の発熱線に作用する曲げ荷重や、引っ張り荷重を緩和することにより、耐久性を向上することができ、第１〜６のいずれかの発明の効果をさらに増大させるものである。
【００２５】
第８の発明は、可動式の肘掛部を有し、前記肘掛部の底面に発熱体を備えることを特徴とするものであり、肘掛部が上げられた際にも発熱体を備えた底面が使用者の腕、肩口や背部に容易に触れることにより採暖を可能とするものである。
【００２６】
第９の発明は、可動式の肘掛部の位置を検出し、前記肘掛部の位置により底面に備えられた発熱体への通電を切り替える機能を備えることを特徴とするものであり、肘掛部が下げられている際には底面の発熱体への通電を停止し、肘掛部が上げられた際には使用者に接することになる底面の発熱体への通電を行うことを可能とするものである。
【００２７】
第１０の発明は、肘掛部の底面とともに少なくとも天面に発熱体を備えることを特徴とするものであり、肘掛部が下げられた状態でも上げられた状態でも使用者が容易に採暖を得ることを可能とするものであり、第８、９の発明の効果を増大することができる。
【００２８】
第１１の発明は、可動式の肘掛部の位置を検出し、前記肘掛部の底面または天面の発熱体への通電を切り替える機能を備えることを特徴とするものであり、上げられた状態ならば底面の発熱体に通電し、下げられた状態ならば天面への通電を行うことにより、効果的な暖房を容易とし、省エネ効果の向上を可能とするものである。
【００２９】
第１２の発明は、自動車用後部座席に用いることにより、第８〜１１の発明の効果を増大することができる。
【００３０】
以下、本発明の実施の形態について、図面を参照しながら説明する。なお、本実施の形態によって本発明が限定されるものではない。
【００３１】
（実施の形態１）
以下、本発明の実施の形態について、図面を参照しながら説明する。
【００３２】
図１は本発明の第１の実施の形態における暖房装置付き座席を示す斜視図であり、図２は、その座席の側面を示す図である。また、図３は座席の電気的結線を示したブロック図である。
【００３３】
図１において、１は使用者が座る座部であり、その表面は布、あるいは皮等でできた表布２ａで覆われている。また、表布２ａの内部には発熱体３ａが配設されており、電線（図示せず）により電源に接続されている。４は使用者の背面と対向する背もたれ部であり、座部１と同様にその表面は布、あるいは皮等でできた表布２bで覆われており、座部１と同様に内部には発熱体３ｂが配設されており、電線（図示せず）により電源に接続されている。上記の発熱体３ａ、３ｂは通電されることにより発熱し、その熱が表布２ａ、２ｂに伝わり使用者の尻部、足、及び背面を暖める構成となっている。
【００３４】
また、５は肘掛部であり、金具６により背もたれ部４に取り付けられており、同様にその表面は布、あるいは皮等でできた表布２ｃで覆われている。また、表布２ｃの内部には発熱体３ｃが配設されており、電線（図示せず）により電源に接続されている。
【００３５】
さらに、これらの発熱体３ａ、３ｂ、３ｃへの通電は使用者が操作する電気、電子部品から構成されるスイッチ７（図示せず）によりＯＮ／ＯＦＦ制御される構成となっている。
【００３６】
また、本実施の形態においては、発熱体３ａ、３ｂ、３ｃとして発熱線８を用いている。
【００３７】
以上のように構成された暖房装置付き座席について、以下その作用を説明する。
【００３８】
使用者が座席に着席し、冬季等のため寒さを感じた場合、座席を暖めようとしてスイッチ７を操作する。これにより、電線を介して電源と接続されている発熱体３ａ、３ｂ、３ｃへの通電が開始される。発熱体３a、３ｂ、３ｃへの通電が開始されるとその熱は表布２ａ、２ｂ、２ｃに伝えられ、表布表面が暖められる。使用者がその腕を肘掛部５に載置した際には、表布２ｃを介して腕が暖められ、快適感を得ることができるものである。
【００３９】
本実施の形態においては、肘掛部５を背もたれ部４に取り付けた実施の形態を示しているが、座部１に取り付けられる構成としてもその効果は同等である。また、本実施の形態においては、図３に示したように発熱体３ａ、３ｂ、３ｃの電気的接続を並列接続としたが、直列接続、または直並列接続としてもその効果は同等である。
【００４０】
また、本実施の形態の暖房装置付き座席１の発熱体３ｃを構成する発熱線８を複数の素線の編組線で構成することにより、発熱線の耐屈曲性を向上でき、耐久性を向上することができる。
【００４１】
さらに、本実施の形態の暖房装置付き座席１の発熱体３ｃを構成する発熱線８の表面に被覆を施すことにより、耐磨耗性を向上することができ、耐久性を向上することができる。
【００４２】
（実施の形態２）
図４は本発明の第２の実施の形態における肘掛部を拡大した斜視図である。
【００４３】
図４において、発熱体３ｃは肘掛部５天面１０の背もたれ側から１／２の範囲に配設されている。その他の構成は、上述の実施の形態１と同様である。
【００４４】
以上のように構成された暖房装置付き座席について、以下その作用を説明する。
【００４５】
通常、使用者が暖房付座席使用する際、その肘部は、肘掛部５天面１０の背もたれ側から１／２の範囲に触れるため、その部分だけを重点的に暖める構成とすることにより、実施の形態１と同様に十分な快適性が得られるものである。
【００４６】
また、本実施の形態の暖房装置付き座席１の発熱体３ｃを構成する発熱線８を複数の素線の編組線で構成することにより、発熱線の耐屈曲性を向上でき、耐久性を向上することができる。
【００４７】
さらに、本実施の形態の暖房装置付き座席１の発熱体３ｃを構成する発熱線８の表面に被覆を施すことにより、耐磨耗性を向上することができ、耐久性を向上することができる。
【００４８】
（実施の形態３）
図５は、本発明の第３の実施の形態における肘掛部を拡大した斜視図である。
【００４９】
図５において、発熱体３ｃは肘掛部６の天面１０、内側面１１、及び前端垂直面１２にそれぞれ配設されている。その他の構成は、上述の実施の形態１、２と同様である。
【００５０】
以上のように構成された暖房装置付き座席について、以下その作用を説明する。
【００５１】
使用者が暖房付座席使用する際、手で肘掛部５前端を握ることが容易に想定される。この場合、使用者の手は肘掛部５の天面１０、内側面１１、及び前端垂直面１２にまたがって触れる可能性がある。その場合でも発熱体３ｃを配設した部位に容易に触れることにより確実に採暖が可能になり、部分的に冷たく感じ使用者に不快感を与えてしまうという可能性がなくなり実施の形態１〜２と同様に十分な快適性が得られるものである。
【００５２】
また、本実施の形態の暖房装置付き座席１の発熱体３ｃを構成する発熱線８を複数の素線の編組線で構成することにより、発熱線の耐屈曲性を向上でき、耐久性を向上することができる。
【００５３】
さらに、本実施の形態の暖房装置付き座席１の発熱体３ｃを構成する発熱線８の表面に被覆を施すことにより、耐磨耗性を向上することができ、耐久性を向上することができる。
【００５４】
（実施の形態４）
図６は、本発明の第４の実施の形態における肘掛部の発熱体３ｃを拡大し、展開した斜視図である。それらの接続部には実施の形態３と同様に補強のため布等からなる補強材１３が取り付けられている。また、発熱体３ｃは肘掛部５の天面１０、内側面１１、前端垂直面１２、及びもう一方の側面１４の前端から少なくとも１／３の範囲にそれぞれ配設されている。その他の構成は、上述の実施の形態１〜３と同様である。
【００５５】
以上のように構成された暖房装置付き座席について、以下その作用を説明する。
【００５６】
使用者が暖房付座席使用する際、手で肘掛部５前端を握ることが容易に想定される。この場合、使用者の手は肘掛部５の天面１０、内側面１１、前端垂直面１２、及びもう一方の側面１４の前端部にまたがって触れる可能性がある。その場合でも発熱体３ｃを配設した部位に容易に触れることにより確実に採暖が可能になり、部分的に冷たく感じ使用者に不快感を与えてしまうという可能性がなくなり実施の形態１〜３と同様に十分な快適性が得られるものである。
【００５７】
また、本実施の形態の暖房装置付き座席１の発熱体３ｃを構成する発熱線８を複数の素線の編組線で構成することにより、発熱線の耐屈曲性を向上でき、耐久性を向上することができる。
【００５８】
さらに、本実施の形態の暖房装置付き座席１の発熱体３ｃを構成する発熱線８の表面に被覆を施すことにより、耐磨耗性を向上することができ、耐久性を向上することができる。
【００５９】
（実施の形態５）
以下、本発明の実施の形態について、図面を参照しながら説明する。
【００６０】
図７は本発明の第５の実施の形態における暖房装置付き座席を示す斜視図であり肘掛部が下げられた状態を示す図である。図８は肘掛部が上げられた状態を示す図である。また図９は本発明の第５の実施の形態における電気的結線を示す回路図である。
【００６１】
図７、図８、図９において２０１は使用者が座る座部であり、２０２は使用者の背部と対向する背もたれ部である。それぞれの表面は布あるいは革などの材質で構成された表布で覆われ、表布の内部にはそれぞれ発熱体２０３ａ、２０３ｂが配設されている。発熱体２０３ａ、２０３ｂは電線により電源２０４に接続されており、スイッチ２０５をＯＮすることにより、通電されることにより発熱し、その熱が表布を通じて使用者の尻部、大腿部、背部を暖める構成となっている。２０６は肘掛部であり、その表面も表布で覆われており、肘掛部の底面には発熱体２０７ａ、天面には発熱体２０７ｂが配設されている。また背もたれ部２０２と肘掛部２０６の回転軸には背もたれ部２０２に対する肘掛部２０６の位置検出器２０８が取り付けられ、前記位置検出器２０８により切り替えられるスイッチ２０９である。
【００６２】
以上のように構成された暖房装置付き座席について、以下その作用を説明する。
【００６３】
使用者が座席を暖めようとしてスイッチ２０５を操作することにより、電線を介して電源２０４と接続されている発熱体２０３ａ、２０３ｂに通電が開始され、座部および背もたれ部の表布の表面が暖められる。この際、肘掛部２０６の位置が図７のように下げられていた場合、位置検出器２０８により下げられていることを検出し、スイッチ２０９が切り替えられ発熱体２０７ｂへの通電が行われ、使用者がその腕や手を肘掛部２０６に接触させると、暖められて快適感を得ることができるものである。また肘掛部２０６の位置が図８のように上げられていた場合、位置検出器２０８により上げられていることを検出し、スイッチ２０９が切り替えられて発熱体２０７ａへの通電が行われ、使用者がその腕、肩口や背中を肘掛部２０６に接触させると、暖められて快適感を得ることができるものである。上記のように肘掛部２０６の位置に応じて、肘掛部２０６に構成された発熱体２０７ａ、２０７ｂへの通電を切り替えることによって、使用者に対して効果的で省エネな暖房を実現することができる。
【００６４】
なお本実施の形態において、位置検出器２０８は肘掛部２０６と背もたれ部２０２を繋ぐ軸に取り付けられる。その構成は肘掛部２０６が回転した際に、任意の角度で通電を切り替える機械的スイッチや、角度自体を検出する角度計などが代表的であるが本発明はこれらに限定するものではない。また本実施の形態においては位置検出器２０８とスイッチ２０９を２部品とした記載しているが、双方の機能を併せ持つ１部品や３部品以上の組み合わせであってもよい。例えば１部品とすることによって、肘掛部の回転軸近傍の構成を簡易化することで、肘掛部の耐久性を向上することができ、かつ安価にすることが可能となる。また発熱体２０７ａ、２０７ｂへの通電をＯＮ／ＯＦＦする肘掛部２０６の角度については、肘掛部の可動範囲を２分割し、肘掛部が下げられている状態、上げられている状態に対して、底面、天面の発熱体２０７ａ、２０７ｂへの通電を切り替えることで、使用実態に合わせて適切な暖房を行うことが可能となる。また必要のない面に配設された発熱体への通電を停止することで、省エネを実現することができる。また可動範囲を３分割し肘掛部２０７が傾いている状態、例えば角度が４５度前後のように使用者が肘を置いたり、肩部などを接触させたりをしにくい範囲においては、実質的に使用者への暖房効果が期待できないため、底面、天面の双方の発熱体２０７ａ、２０７ｂへの通電を停止することで、さらなる省エネを実現することができる。なお本発明では２分割、３分割、またその分割角度を限定するものではなく、任意に設定することができる。
【００６５】
なお本実施の形態においては肘掛部２０６に配設される発熱体は底面、天面だけとしているが、肘掛部２０６の側面に発熱体を設け、肘掛部が下げられている状態では天面と側面、上げられている状態では人体に接触しない側面については通電せずに底面のみを通電させるように構成することも可能であり、発熱体の構成されている位置に対して使用時に接触する部位を効果的に選択することで、使用電力の低減を図ることができる。
【００６６】
また本実施の形態においては、肘掛部２０６は背もたれ部２０２に取り付けた実施の形態を示しているが、座部２０１に取り付けられる構成としてもその効果は同等である。さらに図９では発熱体２０３ａ、２０３ｂと発熱体２０７ａ、２０７ｂの電気的接続を並列接続としスイッチ２０５にて通電をＯＮ／ＯＦＦできる構成としているが、その接続方法についてはこれに限定されるものではなく、直列接続などの併用であっても構わない。
【００６７】
なお本実施の形態においては、発熱体として、発熱線などを用いた線状タイプ、正の温度特性を有する抵抗体を用いた面状タイプ、さらには炭素繊維を基材に組み込んだ準面状タイプなどの構成を用いることができるが、上記に限定しているものではない。
【００６８】
（実施の形態６）
図１０は本発明の第６の実施の形態における自動車用後部座席で肘掛部が下げられた状態を示す斜視図である。また図１１は第６の実施の形態における自動車用後部座席の肘掛部が上げられた状態を示す斜視図である。図１２は第６の実施の形態における電気的結線を示す回路図である。
【００６９】
図１０、図１１、図１２において、２１０ａは左席座部、２１０ｂは左席背もたれ部であり、それぞれの表布の内部には発熱体２１１ａ、２１１ｂが配設されている。２１０ｃは中央席座部で、その内部に発熱体２１１ｃが配設されている。また２１０ｄは中央席背もたれ部であり、中央席背もたれ部２１０ｄには収納可能な肘掛部２１２が構成され、その内部には収納状態で背もたれ部の座面に発熱体２１３ｂ、肘掛として使用する際の天面に発熱体２１３ａが配設されている。スイッチ２１４ａは発熱体２１１ａ、２１１ｂ、２１３ａへの通電をＯＮ／ＯＦＦし、またスイッチ２１４ｂは発熱体２１１ｃ、２１３ｂへの通電をＯＮ／ＯＦＦすることができる。肘掛部２１２には、肘掛部の座面に対する位置を検出するための位置検出器２１５が取り付けられており、この位置情報に応じてスイッチ２１６を切り替えられる構成となっている。
【００７０】
以上のように構成された暖房装置付き座席について、以下その作用を説明する。
【００７１】
左席に着座している使用者が座席を暖めようとしてスイッチ２１４ａを操作すると、発熱体２１３ａ、２１３ｂに通電され、左席座部２１０ａおよび左席背もたれ部２１０ｂの表面が暖められる。この際、肘掛部２１２が下げられていた場合、位置検出器２１５によってスイッチ２１６が発熱体２１３ａにも通電されるように切り替えられ、肘掛部２１２の天面を暖めることができる。
【００７２】
一方で肘掛部２１２が中央席背もたれ部に収納されていた場合、位置検出器２１５によってスイッチ２１６が発熱体２１３ｂを通電するように切り替えられ、スイッチ２１４ｂがＯＮされた際には発熱体２１１ｃ、２１３ａに通電され、中央席座部２１０ｃと中央席背もたれ部２１０ｄを暖めることができる。
【００７３】
本実施の形態においては左席を例として説明しているが、右席であっても構わない。また発熱体２１３ａは１枚の発熱体としているが、複数の発熱体であってもよく、例えば左右席に対し１対の発熱体とすることができる。
【００７４】
また肘掛部２１２が下げられ肘掛として使用される際には、中央席には使用者は着座できないため、発熱体２１１ｃによる暖房は無意味となる。従って、肘掛部２１２が下げられている状態では、スイッチ２１４ｂをＯＮしても発熱体２１１ｃに通電しない構成とすることで、無駄な電力の使用を削減することができる。
【００７５】
本出願は、２００７年１２月２０日出願の日本特許出願、特願２００７−３２８３５８および２００７年１２月２７日出願の日本特許出願、特願２００７−３３６２５２に基づくものであり、その内容はここに参照として取り込まれる。
【００７６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００７７】
以上のように、本発明にかかる暖房装置付き座席は、着座時の快適性、信頼性、及び耐久性の向上を実現するものであり、例えば温水洗浄便座のような使用者が座るものに肘掛部を取り付けたものにおいても適用可能であり、快適性の向上、信頼性、及び耐久性の向上を可能とした暖房装置付き座席を提供することができる。
【００７８】
また、本発明にかかる暖房装置付き座席は、肘掛部が上げられた場合においても腕や肩口などを暖めることが可能とすることで、着座時の快適性の向上を実現するものであり、例えば自動車用座席、映画館やスタジアムなどの観客席、そして温水洗浄便座のように使用者が座るもので、肘掛部が取り付けられたものに対しても適用可能であり、快適性、省エネ性の向上を可能とした暖房装置付き座席を提供することができる。
【符号の説明】
【００７９】
１  座部
３ｃ  発熱体
４  背もたれ部
５  肘掛部
２０１  座部
２０２  背もたれ部
２０３ａ  発熱体
２０３ｂ  発熱体
２０６  肘掛部
２０７ｂ  発熱体
【図１】
0005603466.tif 000002
【図２】
0005603466.tif 000003
【図３】
0005603466.tif 000004
【図４】
0005603466.tif 000005
【図５】
0005603466.tif 000006
【図６】
0005603466.tif 000007
【図７】
0005603466.tif 000008
【図８】
0005603466.tif 000009
【図９】
0005603466.tif 000010
【図１０】
0005603466.tif 000011
【図１１】
0005603466.tif 000012
【図１２】
0005603466.tif 000013
【図１３】
0005603466.tif 000014